(57)【要約】    【課題】  本発明は、照明効果及び表示効果のある光反射性敷物を提供することを目的とする。    【解決手段】  本発明に係る光反射性敷物１０は、繊維生地を構成する糸の一部に光沢糸４１を使用して、光が反射する部分１２を構成したことを特徴とするものである。    【選択図】        図１
2005323950.tif 000002
【特許請求の範囲】
【請求項１】
繊維生地を構成する糸の一部に光沢糸を使用して構成したことを特徴とする光反射性敷物。
【請求項２】
光沢糸が繊維生地の表面縁部に現出するように配されていることを特徴とする請求項１に記載の光反射性敷物。
【請求項３】
光沢糸がストライプ柄を構成するように配したことを特徴とする請求項１に記載の光反射性敷物。
【請求項４】
光沢糸が表面に現出する部分を点在させてなることを特徴とする請求項１に記載の光反射性敷物。
【発明の詳細な説明】
【技術分野】
【０００１】
本発明は、建物の床面や乗物の足元等に敷設される敷物に関し、特に光を反射する機能を有する光反射性敷物に関する。
【背景技術】
【０００２】
従来から建物の床面にカーペットや絨毯等の敷物が敷設され、また、乗物の足元などにも足元マットとして敷物が敷設されている。
【発明の開示】
【発明が解決しようとする課題】
【０００３】
しかしながら、上記の敷物は、装飾効果、保温効果、騒音防止効果、衝撃緩和効果等の効果をねらうものであるが、光を反射させることによる照明効果や表示効果をねらうものは存在しなかった。また、ホテルなどの通路においては、夜間は足元やドアの入口だけを照らす照明や常夜灯等の薄暗い照明だけであり、どこに何があるのか、またどのような構造になっているのかがわかりにくく、慣れない宿泊客にとって不安感をつのらせるものであった。さらに、一般家庭においても夜間の消灯時は、薄暗い明かりだけを頼りにトイレへの往復などの行動が余儀なくされることが多く、このような場合にも、足元が暗いために段差につまづいたり、家具等の調度品にぶつかるようなこともあり、若干なりとも危険な状況にあった。さらにまた、夜間に自動車などの乗物内で床に物を落としたりすると、薄暗い車内灯だけで落とした物が探さなければならないので不便であり、また走行中に薄暗い中で探し物をすることは危険ですらあった。
【０００４】
そこで、本発明者は、鋭意研究を重ね、繊維生地を構成する糸の一部に光沢のある糸を使用することにより、照明効果及び表示効果のある光反射性敷物を開発した。
【課題を解決するための手段】
【０００５】
本発明に係る光反射性敷物は、繊維生地を構成する糸の一部に光沢糸を使用して構成したことを特徴とするものである。
【０００６】
また、前記の光沢糸が繊維生地の表面縁部に現出するように配してもよく、さらに、光沢糸がストライプ柄を構成するように配してもよく、さらにまた、光沢糸が表面に現出する部分を点在させてもよい。
【発明の効果】
【０００７】
本発明に係る光反射性敷物は、繊維生地を構成する糸の一部に光沢糸を使用して構成したことにより、光が反射しすぎて眩しくなるようなことがなく、かつ、薄暗い僅かな光の中でも光沢糸が光の反射により発光するので明るさを高めることができる。また、光沢糸により何らかの表示を形成した場合には、僅かな光でも光沢糸が光を反射して発光するので、その表示に気付きやすいという利点がある。
【０００８】
また、光沢糸が繊維生地の表面縁部に現出するように配して構成すると、この繊維生地の縁部が、隣接する部屋の境などにみられる床の段差や家具等の調度品の周縁部に位置するように敷設すると、僅かな光でも光沢糸が光を反射して発光するので、段差があること又は調度品があることに気付きやすくなり、危険性が軽減される利点がある。また、廊下や通路などのカーペットに使用した場合には、薄暗い照明の中でも壁面と床面との境が認識しやすくなり、廊下や通路などの全体が僅かながらでも明るくなるので、安心感が高まる。
【０００９】
さらに、光沢糸がストライプ柄を構成するように配した場合には、僅かな光でも繊維生地全体が光沢糸の反射によりうっすらと発光する。したがって、このような光沢糸によりストライプ柄を形成した光反射性敷物を、自動車などの乗物の床面に敷設しておくと、夜間に車内などで床に物を落とした場合に、薄暗い車内灯だけの光でも、光沢糸が光を反射して床全体に対してうっすらとした照明効果を果たすので、落とした物が探しやすくなる利点がある。
【００１０】
さらにまた、光沢糸が表面に現出する部分を点在させて構成すると、この繊維生地を敷物として床面に敷きつめた場合には、薄暗い常夜灯などの明かりだけでも、室内の特に床面が少しでも明るくなるので、どこに何があるかが判断しやすくなり、また、夜間の行動における危険性が軽減される利点がある。
【発明を実施するための最良の形態】
【００１１】
以下に、本発明に係る光反射性敷物について好適な実施例を添付の図面に基づいて詳細に説明する。
【実施例１】
【００１２】
図１は、本実施例に係る光反射性敷物の部分拡大図付き斜視図である。
【００１３】
本実施例における光反射性敷物１０は、平織組織の繊維生地であって、光沢糸１１を一部に使用した斜紋織部１２を千鳥に配した格子状の模様をなすものである。なお、敷物を構成する繊維生地の組織は、これに限られるものではなく、その他の織成により作成したものでもよく、また、編成により作成したものでもよく、さらに、表面にパイルを形成したものでもよい。
【００１４】
光沢糸１１としては、ポリエステル系樹脂から製造したポリエステルモノフィラメントを使用している。なお、光沢糸としては、光沢のある合成樹脂製繊維や天然繊維、または光輝性物質を含有する繊維からなる糸条を使用することができる。合成樹脂製繊維としては、例えば、ポリエステル系樹脂、ポリアミド系樹脂、ポリアクリロニトリル系樹脂、ポリ塩化ビニル系樹脂、ポリ塩化ビニリデン系樹脂、ポリビニルアルコール系樹脂、ポリオレフィン系樹脂、ポリウレタン系樹脂、ポリクラ−ル樹脂、タンパク−アクリロニトリル共重合系樹脂、フッ素系樹脂、ポリグリコール樹脂、及びフェノール系樹脂等が挙げられ、繊維を形成することのできる合成樹脂であればいずれの合成樹脂をも使用することができ、暗所における光反射作用を考慮すると、透明性の高い繊維が好ましく、中でも、ポリアクリロニトリル系樹脂、ポリアミド系樹脂、ポリエステル系樹脂が好ましい。
【００１５】
また、繊維に含有する光輝性物質としては、受けた光を反射する物質であればよく、例えば、ガラス、マイカ、シリカ等の無機物、アルミニウム等の金属粉、金剛石、合成ダイヤモンド、真珠、及び貝殻等が挙げられる。中でも、マイカ、真珠が好ましい。これらは層状構造を有し、暗所における光反射作用が高く、かつ装飾性に富むからである。
【００１６】
上記のようにして作成された本実施例に係る光反射性敷物１０は、光沢糸１１が部分的に織り込まれているので、光が反射しすぎて眩しくなるようなことがない。また、生地表面に現出する光沢糸１１は、織物であっても編物であっても、湾曲した凸状となるのが常であるから、この光沢糸１１の湾曲凸状部分に外部から光を照射すると、光が乱反射して光が周辺に広がる役割を果たす。したがって、薄暗い僅かな光の中でも、斜紋織部１２に織り込まれた光沢糸１１が光の反射により前記の僅かな光に対応して発光するので、明るさを僅かでも高めることができる。
【実施例２】
【００１７】
図２は、本実施例に係る光反射性敷物の部分拡大図付き斜視図である。
【００１８】
本実施例における光反射性敷物２０は、平織組織の繊維生地であって、光沢糸２１により、敷物２０の表面に矢印の図形２２を形成したものである。なお、使用できる敷物の構成する繊維生地及び光沢糸については実施例１と同様であるため、その説明を省略する。
【００１９】
このように光沢糸２１により矢印の図形２２のような表示を敷物２０に形成した場合には、僅かな光でも光沢糸が光を反射して発光するので、床などに敷設すれば、その表示に気付きやすくなる利点がある。
【実施例３】
【００２０】
図３は、本実施例に係る光反射性敷物の部分拡大図付き斜視図であり、図４はその使用例１を示す概略部分斜視図であり、図５はその使用例２を示す概略部分斜視図であり、図６はその使用例３を示す概略部分斜視図である。
【００２１】
本実施例における光反射性敷物３０は、平織組織の繊維生地であって、光沢糸３１により、敷物３０の表面縁部に帯状の縁取り部３２を形成したものである。なお、使用できる敷物の構成及び光沢糸については実施例１と同様であるため、その説明を省略する。
【００２２】
このように光沢糸３１により縁取り部３２を敷物３０形成した場合には、この敷物３０を図４に示す使用例１のように、床面の段差のある部分３５における境である床面上段の縁部３６や下段の縁部３７に縁取り部３２が位置するように敷物３０を敷設すると、僅かな光でも光沢糸３１が光を反射して発光するので、段差のある部分３５に気がつきやすくなり、薄暗い照明でも、つまずいて転倒するなどの危険性が軽減して安心である。また、階段などの縁部に敷設しても同様の効果が果たされる。
【００２３】
また、図５に示す使用例２のように、家具３８などの下部周縁部に縁取り部３１が位置するように敷物３０を敷設すると、薄暗い照明の中でも、家具の存在が認識しやすくなり、ぶつかるなどの危険性が軽減して安心である。
【００２４】
さらに、図６に示す使用例３のように、足元照明３９だけの薄暗い通路に敷物３０を敷設すると、通路の壁面と床面との境が認識しやすくなる利点があり、通路全体が僅かながらでも明るくなるので、安心感が高まる。
【実施例４】
【００２５】
図７は、本実施例に係る光反射性敷物部分の拡大図付き斜視図である。
【００２６】
本実施例における光反射性敷物４０は、平織組織の繊維生地であって、敷物４０にストライブ柄が形成されるように光沢糸４１を織り込んだものであり、４２は光反射部である。なお、使用できる敷物の構成及び光沢糸については実施例１と同様であるため、その説明を省略する。
【００２７】
このように光沢糸４１により、敷物４０の全体にストライプ柄が形成されると、僅かな光でも繊維生地全体が光沢糸４１の反射によりうっすらと発光して、周辺が僅かでも明るくなる。したがって、このような敷物４０を自動車の床に敷設すれば、夜間に車内の床に物を落とした場合に、薄暗い車内灯だけの光でも、光沢糸４１が光を反射して発光するので床全体に対してうっすらとした照明効果を果たすので、落とした物が探しやすくなり、安全性が向上する。
【実施例５】
【００２８】
図８は、本実施例に係る光反射性敷物の斜視図である。
【００２９】
本実施例における光反射性敷物５０は、平織組織の繊維生地であって、光反射部５２が点在するように光沢糸５１を敷物５０に織り込んだものである。なお、使用できる敷物の構成及び光沢糸については実施例１と同様であるため、その説明を省略する。
【００３０】
このように光沢糸５１により光反射部５２を点在させた敷物５０を床面に敷設した場合には、薄暗い常夜灯などの明かりだけでも、室内の特に床面が少しでも明るくなるので、どこに何があるかが判断しやすくなり、また、夜間の行動における危険性が軽減するので安心である。
【図面の簡単な説明】
【００３１】
【図１】実施例１に係る光反射性敷物の部分拡大図付き斜視図である。
【図２】実施例２に係る光反射性敷物の部分拡大図付き斜視図である。
【図３】実施例３に係る光反射性敷物の部分拡大図付き斜視図である。
【図４】実施例３の光反射性敷物の使用例１を示す概略部分斜視図である。
【図５】実施例３の光反射性敷物の使用例２を示す概略部分斜視図である。
【図６】実施例３の光反射性敷物の使用例３を示す概略部分斜視図である。
【図７】実施例４に係る光反射性敷物の部分拡大図付き斜視図である。
【図８】実施例５に係る光反射性敷物の部分拡大図付き斜視図である。
【符号の説明】
【００３２】
１０・・光反射性敷物
１１・・光沢糸
１２・・斜紋織部
２０・・光反射性敷物
２１・・光沢糸
２２・・矢印の図形
３０・・光反射性敷物
３１・・光沢糸
３２・・縁取り部
３５・・段差のある部分
３６・・床面上段の縁部
３７・・床面下段の縁部
３８・・家具
３９・・足元照明具
４０・・光反射性敷物
４１・・光沢糸
５２・・光反射部
３２・・縁取り部
５０・・光反射性敷物
５１・・光沢糸
５２・・光反射部
【図１】
2005323950.tif 000003
【図２】
2005323950.tif 000004
【図３】
2005323950.tif 000005
【図４】
2005323950.tif 000006
【図５】
2005323950.tif 000007
【図６】
2005323950.tif 000008
【図７】
2005323950.tif 000009
【図８】
2005323950.tif 000010